(57)【特許請求の範囲】
【請求項１】
扉の壁に固定される内外の支持座と、該支持座にそれぞれ回転自在に支持される内外の操作部材と、これらの操作部材の少なくとも一方に固定的に取付けられ、かつ、錠箱内の作動部材を作動させ得る揺動軸とを備え、内外の操作部材をそれぞれ操作するとラッチ錠のラッチの後退を可能にする扉のハンドル装置に於いて、前記操作部材の一方は、前記内側支持座を介して室内側に設けられ、かつ当該操作部材のハンドル軸部の軸回りに回転する操作部材であり、また、前記操作部材の他方は、前記内側支持座と異なる構成の外側支持座を介して室外側に設けられ、かつ前記揺動軸を揺動させるように前記外側支持座に設けた支持軸を支点に扉の壁面に対して押す・引くタイプの操作部材であることを特徴とする扉のハンドル装置。
【請求項２】
請求項１に於いて、内側支持座の内部には、一方の操作部材の軸部の回転運動を直線運動に変えるスライド部材が組み込まれ、該スライド部材の被係合部に他方の操作部材の揺動軸の挿入先端部が係合していることを特徴とする扉のハンドル装置。
【請求項３】
請求項１又は請求項２に於いて、一方の操作部材の軸部とスライド部材の間には、内側支持座に軸支されたテコ部材の自由端部が介在し、前記スライド部材はテコ部材を介してスライドすることを特徴とする扉のハンドル装置。
【請求項４】
ラッチ錠は、請求項１に記載の事項をそのまま含み、押す・引くタイプの操作部材を操作すると、錠箱内の作動部材が操作部材復帰用バネ部材のバネ力に抗して作動し、該作動部材に連動してラッチ施錠片の係止が解消することを特徴とするラッチ錠。
【請求項５】
扉の壁に固定される内外の支持座と、該支持座にそれぞれ回転自在に支持される内外の操作部材と、これらの操作部材の少なくとも一方に固定的に取付けられ、かつ、錠箱内の作動部材を作動させ得る揺動軸とを備え、内外の操作部材をそれぞれ操作するとラッチ錠のラッチの後退を可能にする扉のハンドル装置に於いて、前記操作部材の一方は、前記内側支持座を介して室内側に設けられ、かつ当該ハンドルの軸部の軸回りに回転する操作部材であり、また、前記操作部材の他方は、前記内側支持座と異なる構成の外側支持座を介して室外側に設けられ、かつ前記揺動軸を揺動させるように前記外側支持座に設けた支持軸を支点に扉の壁面に対して押す・引くタイプの操作部材であり、さらに、一方の操作部材は、支持座内に組み込まれた付勢部材により初期位置へ戻ることを特徴とする扉のハンドル装置。
【請求項６】
請求項５に於いて、内側支持座の収納凹所には複数個の嵌合突起が形成され、該嵌合突起に嵌合する嵌合部を有する付勢部材用の押え板が該支持座に嵌め込まれていることを特徴とする扉のハンドル装置。
【請求項７】
請求項５に於いて、操作部材の他方は、水平方向の支持軸（横軸）を介して手前側にプルする操作部材であることを特徴とする扉のハンドル装置。
【請求項８】
扉の壁に固定される内外の支持座と、該支持座にそれぞれ回転自在に支持される内外の操作部材と、これらの操作部材の少なくとも一方に固定的に取付けられ、かつ、錠箱内の作動部材を作動させ得る揺動軸とを備え、内外の操作部材をそれぞれ操作するとラッチ錠のラッチの後退を可能にする扉のハンドル装置に於いて、前記操作部材の一方は、前記内側支持座を介して室内側に設けられ、かつ当該ハンドルの軸部の軸回りに回転する操作部材であり、また、前記操作部材の他方は、前記内側支持座と異なる構成の外側支持座を介して室外側に設けられ、かつ前記揺動軸を揺動させるように前記外側支持座に設けた支持軸を支点に扉の壁面に対して押す・引くタイプの操作部材であり、さらに、一方の操作部材は、周端並びに蓋板が扉の内部に入り込まないように壁面に面付け固定され得る前記内側支持座に支持され、加えて、前記内側支持座内に組み込まれた付勢部材により初期位置へ戻ることを特徴とする扉のハンドル装置。
【請求項９】
請求項８に於いて、付勢部材は一つであり、スライド部材とハンドル軸部との間に介在していることを特徴とする扉のハンドル装置。
【請求項１０】
請求項８に於いて、スライド部材の被係合部が、蓋板の開口から若干水平状態に突出しており、この突起状被係合部に揺動軸の先端部が係合していることを特徴とする扉のハンドル装置。
【発明の詳細な説明】
【技術分野】
【０００１】
本発明は、扉の壁面に取付けられる扉のハンドル装置及び該ハンドル装置の構造を備えたラッチ錠に関する。
【背景技術】
【０００２】
特許文献１、特許文献２、特許文献３には、当業者に於いて、「プッシュプル錠」と称される錠前（ラッチ錠）が記載されている。
普通一般にラッチ錠の内外の操作部材は、同一構成及び機能の操作部材が用いられている。例えば内側の操作部材が扉の壁面に対してプッシュ（押す）又はプルする（手前に引く）タイプの操作ハンドルである場合には、外側の操作部材も同様にプッシュ・プルタイプの操作ハンドルである。
【０００３】
しかして、前記内外の操作部材のいずれかをプッシュ（押す）又はプルする（手前に引く）と、操作部材の操作力に基づいて、ラッチ錠の錠箱内の作動部材（例えば摺動部材）が水平方向へ移動し、該摺動部材に連動する作動片を介してラッチを係止するラッチ施錠片が係止解消の方向へ回転する。
【０００４】
付言すれば、上記特許文献１の内外の取付け座及び操作部材は、内外共に同一の構成であり、また、内外の操作部材は、それぞれ支持軸（縦軸）を介して操作される構成であった。
【０００５】
ところで、プッシュプル方式の操作部材を適用したラッチ錠に於いて、例えば手首に買い物袋を吊り下げて操作部材を操作する場合には、外側操作部材の上端に手を掛けてそのまま下方方向へ「プル操作」ができればより自然な操作であるから、開扉が楽である。
また、内部に復帰手段（抵抗手段）を有するドアクローザーを備えている扉の開扉時に於いて、プッシュプル方式ではなく、室内側の操作部材（ノブ、Ｌ型レバーハンドル等）を操作しながら軸回りに回転操作してそのまま扉を押して開くことができれば開扉操作が楽である。
【０００６】
そこで、現在、上記のように操作性が良いプッシュプル方式の操作部材と、ハンドル軸部の軸回り回転操作する操作部材とを組み合わせたラッチ錠用のハンドル装置の出現が要望されている。
【０００７】
なお、ラッチ錠に於いて、特許文献４には「内外の取付け座を介して同一構成の円筒ノブ式の操作部材」が扉の壁に取付けられている。また、特許文献５には、「内外の取付け座を介して同一構成のＬ型レバーハンドル式の操作部材（軸部の軸回りに回転操作する操作部材）」が扉の壁に取付けられている。
【特許文献１】特開２００２−７０３８６号公報
【特許文献２】特許公報２０００−１１０４２９号
【特許文献３】実公平７−５２２９６号公報
【特許文献４】実開昭６０−１２１０７０号公報
【特許文献５】特許公開２００２−３８７７２号公報
【発明の開示】
【発明が解決しようとする課題】
【０００８】
本発明の第１の目的は、例えばドアクローザーを備えている扉の開扉時における開扉操作性の向上を図ること。第２の目的は、１本の揺動軸を用いてもラッチ錠のラッチを後退可能にし得ること。第３の目的は、操作部材を容易に回転操作することができること。第４の目的は、主要部をそのまま含むラッチ錠を提案することである。第５の目的は、操作部材や支持座の互換性を実現し得るように、扉の壁面に支持座専用の比較的大きな切欠部を形成しなくとも良いこと。第６の目的は、操作部材のハンドル軸部をシナンプル化すると共に、付勢部材の部品点数を減らすことができること。その他の目的は、長杆状揺動軸を著しく長くしなくても良いことである。
【課題を解決するための手段】
【０００９】
本発明の扉のハンドル装置は、扉の壁に固定される内外の支持座と、該支持座にそれぞれ回転自在に支持される内外の操作部材と、これらの操作部材の少なくとも一方に固定的に取付けられ、かつ、錠箱内の作動部材を作動させ得る揺動軸とを備え、内外の操作部材をそれぞれ操作するとラッチ錠のラッチの後退を可能にする扉のハンドル装置に於いて、前記操作部材の一方は、前記内側支持座を介して室内側に設けられ、かつ当該操作部材のハンドル軸部の軸回りに回転する操作部材であり、また、前記操作部材の他方は、前記内側支持座と異なる構成の外側支持座を介して室外側に設けられ、かつ前記揺動軸を揺動させるように前記外側支持座に設けた支持軸を支点に扉の壁面に対して押す・引くタイプの操作部材であることを特徴とする。
【００１０】
また、本発明のラッチ錠は、請求項１に記載の事項をそのまま含み、押す・引くタイプの操作部材を操作すると、錠箱内の作動部材が操作部材復帰用バネ部材のバネ力に抗して作動し、該作動部材に連動してラッチ施錠片の係止が解消することを特徴とする。
【００１１】
さらに、本発明の扉のハンドル装置は、扉の壁に固定される内外の支持座と、該支持座にそれぞれ回転自在に支持される内外の操作部材と、これらの操作部材の少なくとも一方に固定的に取付けられ、かつ、錠箱内の作動部材を作動させ得る揺動軸とを備え、内外の操作部材をそれぞれ操作するとラッチ錠のラッチの後退を可能にする扉のハンドル装置に於いて、前記操作部材の一方は、前記内側支持座を介して室内側に設けられ、かつ当該ハンドルの軸部の軸回りに回転する操作部材であり、また、前記操作部材の他方は、前記内側支持座と異なる構成の外側支持座を介して室外側に設けられ、かつ前記揺動軸を揺動させるように前記外側支持座に設けた支持軸を支点に扉の壁面に対して押す・引くタイプの操作部材であり、さらに、一方の操作部材は、支持座内に組み込まれた付勢部材により初期位置へ戻ることを特徴とする。
【００１２】
加えて、本発明の扉のハンドル装置は、扉の壁に固定される内外の支持座と、該支持座にそれぞれ回転自在に支持される内外の操作部材と、これらの操作部材の少なくとも一方に固定的に取付けられ、かつ、錠箱内の作動部材を作動させ得る揺動軸とを備え、内外の操作部材をそれぞれ操作するとラッチ錠のラッチの後退を可能にする扉のハンドル装置に於いて、前記操作部材の一方は、前記内側支持座を介して室内側に設けられ、かつ当該ハンドルの軸部の軸回りに回転する操作部材であり、また、前記操作部材の他方は、前記内側支持座と異なる構成の外側支持座を介して室外側に設けられ、かつ前記揺動軸を揺動させるように前記外側支持座に設けた支持軸を支点に扉の壁面に対して押す・引くタイプの操作部材であり、さらに、一方の操作部材は、周端並びに蓋板が扉の内部に入り込まないように壁面に面付け固定され得る前記内側支持座に支持され、加えて、前記内側支持座内に組み込まれた付勢部材により初期位置へ戻ることを特徴とする。また、一方の操作部材用の付勢部材は一つであり、スライド部材とハンドル軸部との間に介在していることを特徴とする。
【発明の効果】
【００１３】
（１）請求項１、請求項５、請求項８に記載の発明は、例えば扉が外開き式である場合に於いて、（ａ）室内側から開扉するときは、室内側の操作部材を握り締めながらハンドル軸部の軸回りに回転操作してそのまま扉を押して開くことができ、（ｂ）一方、室外側から開扉するときは、室外側の操作部材の上端に手を掛けて、例えばそのまま下方方向へ「プル操作」して扉を手前側に開くことができる。したがって、例えばドアクローザーを備えている扉の開扉時における開扉操作性の向上を図ることができる。
【００１４】
（２）請求項２に記載の発明は、他方の操作部材の揺動軸に連係する運動変換部材としてのスライド部材を備えているから、１本の揺動軸を用いてもラッチ錠のラッチを後退可能にし得る。したがって、内外の支持座に対して、軸心を中心として回転する操作部材と、この操作部材と異なる種類の作動（揺動）する操作部材をそれぞれ簡単に取付けることが可能となる。
【００１５】
（３）請求項３に記載の発明は、ストロークを得ることが可能なテコ部材を備えているから、操作部材を容易に回転操作することができる。
【００１６】
（４）錠箱内に一方の操作部材復帰用の付勢部材を組み込む必要がないので、ラッチ錠の構成を複雑化しないで済む。
【００１７】
（５）第２実施例では、一方の操作部材は、周端並びに蓋板が扉の内部に入り込まないように壁面に面付け固定され得る支持座に軸回りに支持されているので、操作部材や支持座の互換性を実現し得る。
【００１８】
（６）また、第２実施例では、操作部材のハンドル軸部をシナンプル化することができると共に、付勢部材の部品点数を減らすことができる。さらに、長杆状揺動軸を著しく長くしなくても良い。
【発明を実施するための最良の形態】
【００１９】
以下、図１乃至図２１に示す本発明のハンドル装置Ｘを実施するための最良の形態（これを「第１実施例」とする。）により説明する。
【００２０】
（１）発明の実施の環境
図１は発明の実施の環境を示す扉の先側から見た概略説明図である。図２は発明の実施の環境を示す平面側から見た概略説明図である。
【００２１】
図１、図２に於いて、符号のＸは扉のハンドル装置、１は扉、２はラッチ錠の錠箱、３は扉の自由端面から突出するラッチ、４は室内、５は室外、６は操作部材としての内側ハンドル、７は操作部材としての外側ハンドル、８は内側ハンドルの基端部側のハンドル軸部、９は外側ハンドルの基端部に突出状態に組み込まれた外側の長杆状揺動軸、１０は内側の支持座、１１はキャップ状の化粧板を含む外側の支持座、１２は内側ハンドルの軸部８の回転運動を直線運動に変えるスライド部材、１３は押す・引くタイプ（実施例ではプル式）の外側ハンドルを軸支する水平方向の支持軸（横軸）、１４は内外の支持座１０，１１を一体的に連結する複数本の固着具である。
【００２２】
（２）扉のハンドル装置Ｘ、操作部材
扉のハンドル装置Ｘの主な構成部材は、扉１の内外の壁１ａ，１ｂに複数本の固着具１４を介して対向状態に連結される内外の支持座１０，１１と、これらの支持座１０，１１にそれぞれ回転自在に支持される内外の操作部材６，７と、これらの操作部材６，７の少なくとも一方（実施例では外側の操作部材）に固定的に取付けられ、かつ、錠箱２内の作動部材を作動させる得る長杆状の揺動軸９である。
【００２３】
そして、内側の操作部材６は、当該操作部材６のハンドル軸部８の軸心を中心に軸回りに回転する操作部材（例えばＬ型のレバーハンドル、ノブ等）あり、また、外側の操作部材７は、長杆状の揺動軸９を揺動させるように外側支持座１１に設けた支持軸（横軸）１３を支点に扉１の壁面１ｂに対して押す・引くタイプの操作部材である（特徴部分）。
【００２４】
したがって、扉１の内外の壁１ａ，１ｂには、異なる内外の支持座（取付け座）１０，１１を介して異なる種類の操作部材がそれぞれ所要量回転可能（一方は軸回りに回転操作し、他方は軸心方向へ揺動操作）に設けられている。
【００２５】
また、本実施例では、内側の支持座１０の内部には、内側の操作部材６の軸部８の回転運動を直線運動に変える断面コ字状のスライド部材１２が組み込まれ、該スライド部材１２の切欠部、開口等の被係合部１２ａに外側の操作部材７の揺動軸９の挿入先端部９ａが係合している。
【００２６】
そして、前記操作部材７をプル操作した場合には、揺動軸９の挿入先端部９ａはスライド部材１２の被係合部１２ａの開口範囲内で上方方向へ移動することから、スライド部材１２は操作部材７の操作力によって上方に押し上げられることがない反面、前記内側の操作部材６を押し下げて軸回りに回転させた場合には、ハンドル軸部８の突起部及びテコ部材を介してスライド部材１２が上方方向へと押し上げられ、その結果、揺動軸９の挿入先端部９ａも上昇し、錠箱２内の作動部材を介してラッチ錠Ｙのラッチが錠箱２内に後退可能となる（特徴部分）。
【００２７】
（３）具体的構成…扉１
以下、本発明の特定要件について順次説明するが、細部的事項については、符号やその詳細な説明を割愛する。さて、扉１の内外の壁面１ａ，１ｂには、内外の支持座１０，１１が固定される。そして、内外の支持座１０，１１は、固定手段（例えば固着具）を介して一体的に連結される。本実施例では、内側支持座１０の構成は外側支持座１１のそれと著しく異なる。扉１に内装されるラッチ錠Ｙの構成については後述する。
【００２８】
（４）外側の支持座１１
まず、図３乃至図５を参照にして外側の支持座１１の構成を説明する。支持座１１は円盤状に形成されている。しかして、２２は揺動軸９が貫通する多角形の軸孔、２３は支持座１１の内壁面の左右端部の略中央部から水平方向に延びる左右一対のメネジ連結杆、２４は支持座１１の中央部に形成された支持軸（横軸）１３用の軸部（本実施例では横方向の軸孔）、２５は支持座１１の外壁面に形成された凹所である。
【００２９】
ところで、支持座１１は、図３で示すように内壁面が段差状に形成された被係合面２６を有し、この被係合面２６に化粧板２７の係合爪部が係合する。また、中心部の軸孔２２、左右の軸部（横軸孔）２４及び凹所２５はそれぞれ連通している。
【００３０】
（５）支持座１０の構成
次に、図５乃至図１１を参照にして内側支持座１０の構成を説明する。図５は、扉の壁面１ａを基準にすると、支持座１０を壁面１ａ側から見た斜視図であり、一方、図６は支持座１０を壁面１ａに向かって見た斜視図である。支持座１０も外側支持座１１の形状、大きさ等を考慮して適宜（例えば円盤状、多角形状）に形成されているが、本実施例の内側支持座１０の構成は外側支持座１１のそれと著しく異なる。
【００３１】
すなわち、内側支持座１０は、垂直板状のベース部分１６と、このベース部分１６の内壁面の周端部よりの部位から突壁状に連設形成された周壁部分１７とから構成されている。
【００３２】
しかして、前記ベース部分１６には、例えば図７で示すように軸部用の中心孔３１を基準として、固着具用の左右一対の貫通孔３２、該貫通孔３２よりも下位の部位に形成された付勢部材用の左右一対の係合溝３３及び支持板部３４、該支持板部３４の下方に連設形成された左右一対の下方嵌合突起３５、一方、該下方嵌合突起３５に対して左右の貫通孔３２よりも上位の部位にそれぞれ突出形成され、かつ、軸機能を有する上方嵌合突起３６、左右の上方嵌合突起３６の間及び左右の下方嵌合突起３５の間にそれぞれ垂直方向に形成されたスライド部材１２用の上下一対の係合溝３７が形成され、さらに、中心孔３１と左右の貫通孔３２の間には、ハンドル軸部８の周壁に突出形成した複数個の突起８ａをそれぞれ受け止める左右一対のストッパー３８が設けられている。
【００３３】
なお、細部的事項であるが、前記上下の嵌合突起３６，３５の突出端部は、図１６で示す押え板並びに該押え板に対向する蓋板（扉の内壁面１ａと対向する板）がそれぞれ嵌合し得るように大径部分と小径部分を有する。また、中心孔３１、固着具用貫通孔３２、付勢部材用係合溝３３等は、周壁部分１７に囲まれた横向き凹所１８内に位置する。
したがって、支持座１０内に付勢部材、テコ部材、スライド部材等の必要な各部材が組み込まれ、かつ、後述する蓋板が支持座１０の嵌合突起に嵌め込まれ或いは嵌合突起に固定された後、内外の取付け座１０，１１は、複数本（例えば２本）の固着具１４を介して一体的に連結され得る。
【００３４】
（６）支持座１０内に組み込まれる部材と作用
図１８で示すように、支持座１０の中心孔３１にはハンドル軸部８が挿入されるが、該ハンドル軸部８に直接ないし間接的に連動或いは共働する複数個の部材が支持座１０の横向き凹所１８内に組み込まれている。
【００３５】
ここで、図１２（ａ）、（ｂ）及び図１８を参照にしてハンドル軸部８の構成を説明する。８ａは前述したように左右一対のストッパー３８に選択的に当接する左右一対突起、また８ｂは挿入先端部の外周壁の下面に突出形成された付勢部材用の第２突起、さらに、８ｃは挿入先端部の外周壁の上面に水平状態に形成されたテコ部材用の支持面である。
【００３６】
また、図１３及び図１８を参照にして付勢部材４１を説明する。付勢部材４１は、ハンドル軸部８の第２突起８ｂにそれぞれ係合する被係合部（端面コ字形状、溝など）及び左右一対の係合溝３３にそれぞれ係合する係合部（突起）を有する左右一対のバネ受け摺動片４１ａと、これらのバネ受け摺動片４１ａをそれぞれ付勢するように付勢部材用支持板部３４上に組み込まれた左右一対の付勢バネ４１ｂとから成る。
【００３７】
また、図１４及び図１８を参照にしてテコ部材を説明する。左右一組のテコ部材４２は、基端部に上下の嵌合突起３６にそれぞれ嵌合する軸部（軸孔）４２ａを有し、該軸部４２ａから指状に延びる自由端部４２ｂは、操作部材のハンドル軸部８とスライド部材１２の水平壁部分との間にそれぞれ介在する。したがって、例えば図２０で示すように、内側の操作部材１０の操作により、ハンドル軸部８が付勢部材４１のバネ力に抗して反時計方向へ回転すると、テコ部材４２はハンドル軸部８の突起８ａにその自由端部４２ｂが押し上げられ、嵌合突起３６を支点に時計方向へと回転する。その結果、スライド部材１２は、テコ部材４２を介して上方方向へ移動する。
【００３８】
さらに、本実施例では、支持座１０の収納凹所１８に、上下の嵌合突起３６，３５に嵌合する複数個の嵌合部（例えば嵌合孔）４４を有する付勢部材及びテコ部材用の押え板４３が組み込まれる。
【００３９】
しかして、図１６で示すように、この押え板４３には、例えば軸部用の軸孔４３ａ、固着具用の左右の切欠部４３ｂ、スライド板用の上下の切欠部４３ｃ、バネ受け摺動片用の左右一対の係合溝４３ｄがそれぞれ適宜に形成されている。
【００４０】
加えて、前述したように、本実施例では、必要な部材が支持座１０内に組み込まれた後、蓋板４５が支持座１０の内側に固定される。
【００４１】
しかして、図１７で示すように、この蓋板４５の中央部には、スライド部材１２の被係合部１２ａに対応する（略同一大きさの）縦長状の開口４６が形成され、該開口４６には、図１で示すように外側操作部材の揺動軸９の挿入先端部９ａが貫通状態には入り込む。
【００４２】
また、蓋板４５の上下左右の部位には、上下の嵌合突起３６，３５に嵌合する複数個の取付け小孔（合計４個）４７が形成され、さらに、蓋板４５の中央部の左右には固着具１４用の切欠部４８が適宜に形成されている。
【００４３】
（７）スライド部材１２
図１５を参照にしてスライド部材１２を説明する。前述したようにスライド部材１２は、断面コ字形状に形成されている。垂直板部分には、被係合部（実施例では縦長状の開口）１２ａが形成されている。また、垂直板部分の端部に連設する上下の水平板部分の先端部には、支持座１０の上下の係合溝３７にそれぞれ係合する係合突起１２ｂが設けられている。スライド部材１２は、内側の操作部材６のハンドル軸部８の回転運動を直線運動に変える変換部材であり、外側の操作部材７の揺動軸９に片面的に連係している点については前述したとおりである。
【実施例】
【００４４】
この欄では、本発明を適用したラッチ錠の一例を説明する。また、本発明の第２実施例を説明する。
【００４５】
図２１はてラッチ錠Ｙの概略説明図である。周知事項の詳細は割愛する。このラッチ錠Ｙは、請求項１に記載の事項をそのまま含んでいる。したがって、ラッチ錠Ｙの内外の操作部材６，７は、前述したように回転（一つは軸回りに回転、他の一つは揺動軸の軸心方向に揺動）する。
【００４６】
図２１では、錠箱２のケース身２ａとケース蓋２ｂにそれぞれ形成された窓部６０に外側の操作部材７の揺動軸９が錠箱２を貫通するように差し込まれている旨を示している。
しかして、６１は前記揺動軸９の上方に位置する断面チャンネル（上向きコ字形状）の作動部材（実施例では摺動部材）、６２は該摺動部材内に組み込まれた外側の操作部材７復帰用のバネ部材、６３は先端部がラッチ施錠片６４に、一方、後端部が前記摺動部材６１にそれぞれ係合するように錠箱２内に配設された人差し指形状の連動片、６５は複数個の切欠部を有するラッチ支持枠、そして、３はラッチバネ６６に付勢された反転ラッチである。
【００４７】
上記構成に於いて、内側の操作部材６を回転操作すると、前述したように座１０側のスライド部材（運動変換部材）１２を介して揺動軸９が間接的に作動する。一方、外側の操作部材７をプル操作すると、揺動軸９が直接的に作動する。したがって、今仮に、外側の操作部材７をプル操作すると、摺動部材６１は、操作部材復帰用バネ部材６２のバネ力に抗して上方向にスライドし、該摺動部材６１に連動して連動片６３及びラッチ施錠片６４が係止を解消する方向へ回転する。そして、外側の操作部材７は、当該操作部材の上端から手を離すと、前記バネ部材６２のバネ力により、元の初期位置へと復帰する。内側の操作部材６は、座１０内に組み込まれた付勢部材４１のバネ力により初期位置へと復帰する。
【００４８】
次に、図２２乃至図２９を参照にして、本発明の第２実施例を説明する。なお、第２実施例の説明に当たって、第１実施例と同一の部分には、同一又は同様の符号を付し、極力、重複する説明を省略する。
【００４９】
図２２は、図１と同様に発明の実施の環境を示す扉先（自由端部）側から見た概略説明図である。また、図２３は、図２と同様に発明の実施の環境を示す平面側から見た概略説明図である。これらの各図をそれぞれ対比すると明らかなように、第２実施例は、第１実施例に対して、主に次のような点が異なる。
【００５０】
（ａ）例えば扉１の内壁面１ａに対する内側支持座１０Ａの取り付け態様が異なる。第１実施例では、内側支持座１０は、垂直板状のベース部分１６と、このベース部分１６の内壁面の周端部よりの部位から突壁状に連設形成された周壁部分１７とから構成され、前記周壁部分１７と、この周壁部分１７内に組み込まれるテコ部材用の押え板４３と、該押え板４３に対して上下動できるように周壁部分１７に組み込まれたスライド部材１２及び蓋板４５が、扉１の内壁面１ａを基準にすると、扉１の内部に入り込んでいる。
【００５１】
したがって、第１実施例では、扉１の内壁面１ａに、前記周壁部分１７乃至蓋板４５を嵌め込むことができる大きな切欠部分を形成しなければならないという問題点がある。
【００５２】
これに対して、第２実施例の内側支持座１０Ａは、普通一般に良く見受けられるように、シンプルなキャップ状に形成され、その周壁部分１７Ａの周端１７ａ並びに蓋板４５Ａが扉１の内部に入り込まないように内壁面１ａに面付け固定されている。
【００５３】
したがって、前記内壁面１ａには、内側支持座１０専用の環状又は多角形状の大きな切欠部分を形成する必要はなく、図２４で示すように、普通一般のＬ型ハンドルの軸部を嵌め込むことが可能な円形或いは多角形状の基準孔７０、及び該基準孔の付近に形成された左右（又は上下）の固着具１４用の小円形状取付け孔７１をそれぞれ形成するだけで良い。
【００５４】
前記基準孔７０及び一対の取付け孔７１は、普通一般のシンプルな形態の取付け座やＬ型ハンドルを装着するために利用されているいわば既製孔であることから、図２２に記載の内側ハンドル６や内側支持座１０Ａを、他の形態の内側ハンドルや内側支持座に交換可能である（互換性あり）。この点、第１実施例では、内壁面１ａの大きな切欠部分が適合する専用の内側支持座１０が必要であることから、互換性を期待することができない。それ故に、第２実施例はこのような問題点を解消することができる。
【００５５】
図２５は、図１８と同様に、内側支持座に各部材を組み込んだ状態の説明図である。図２５と図１８を対比すると明らかなように、第２実施例は、第１実施例に対して、次のような点も異なる。
【００５６】
（ｂ）また、例えば付勢部材４１Ａが一つであり、スライド部材１２Ａとハンドル軸部８Ａとの間に介在している点が異なる。第１実施例では、内側操作部材６のハンドル軸部８に第２突起８ｂを形成し、この第２突起８ｂに内側支持座１０内に横方向に組み込まれた合計２個の付勢部材４１が直接的に圧接している。したがって、第１実施例では、内側操作部材６を押し下げた後は、前記付勢部材４１の付勢バネ４１ｂのバネ力によりダイレクトに元の位置へと復帰する。
【００５７】
これに対して、第２実施例では、内側操作部材６を押し下げた場合に、該内側操作部材６は、内側支持座１０Ａ内に縦方向に組み込まれ、かつ、スライド部材１２Ａを元の位置へと付勢する単数の付勢部材４１Ａの付勢バネ４１ｂのバネ力により、間接的に復帰する。第２実施例では、付勢バネ４１ｂは、単数であっても、操作部材６の「左右勝手」を実現することができる。
【００５８】
付言すると、第１実施例のように付勢部材４１をハンドル軸部８の第２突起８ｂを基準にして、内側支持座１０の支持板部３４に左右一対組み込む必要がない。その分、内側支持座１０Ａや内側操作部材６のハンドル軸部８Ａの構成をシナンプル化すると共に、付勢部材の部品点数を減らすことができる。
【００５９】
図２６の（ａ）、（ｂ）は、第２実施例のハンドル軸部８Ａの構成を示す。図１２と図２６とを対比すると明らかなように、第１実施例のハンドル軸部８では左右一組の付勢部材４１のバネ受け摺動片４１ａをそれぞれ受ける下方の第２突起８ｂを有しているが、第２実施例のハンドル軸部８Ａはそのような第２突起８ｂを有していない。つまり、ハンドル軸部８Ａはシンプルな形状となっている。
【００６０】
また、図２５で示すように、第２実施例の付勢部材４１Ａのバネ受け片４１ａに相当する一つのバネ受け片４１ａは、ハンドル軸部８Ａの下側の外周に沿うようにスライド部材１２Ａ内に組み込まれ、付勢バネ４１ｂの上端部を受け止めている。
【００６１】
第２実施例の付勢部材４１Ａの細部的事項の説明は割愛するが、例えば第１実施例のバネ受け摺動片４１ａは可動片であるのに対して、第２実施例のバネ受け片４１ａは所定位置に組み込まれた固定片である点、バネ受け片４１ａは断面湾曲状の上端部に内側支持座１０Ａ内の左右の突起部分とそれぞれ係合する両手状の係合突片を有している点等が相違する。
【００６２】
（ｃ）図２７は、内側操作部材６を操作した場合の作動態様を示す概念図である。第１実施例で説明したように、内側操作部材６を押し下げると、そのハンドル軸部８Ａは軸回りに回転する。図２７では、ハンドル軸部８Ａが矢印で示すように時計方向へ回転すると、テコ部材４２の回転を介してスライド部材１２Ａが上方に移動する。この時、スライド部材１２Ａは、付勢部材４１Ａの付勢バネ４１ｂのバネ力に抗して上昇する。したがって、内側操作部材６から手を放すと、内側操作部材６は、逆の作動態様により、前記付勢バネ４１ｂのバネ力、スライド部材１２Ａの下降、テコ部材４２の逆回転を介して元の水平位置へと自動的に復帰する。
【００６３】
（ｄ）その他の改良事項。図２２で示すように、スライド部材１２Ａの突起状被係合部１２ａが、裏板４５Ａの開口４６Ａから若干水平状態に突出している。この突起状の被係合部１２ａの上面に長杆状揺動軸９Ａの挿入先端部９ａが乗っかっている。したがって、長杆状揺動軸９Ａを著しく長くしなくても（壁面１ａから突出させなくてもの意味合い）、第１実施例の作用・効果を達成することができる。
【００６４】
（ｅ）形式的改良事項。第２実施例の内側支持座１０Ａの形態は、図２５で示すように、円形型である。したがって、テコ部材４２用の押え板４３Ａ及び蓋板４５Ａの形状が適宜に変更されている。しかし、これらの変更は形式的変更である。図２８に示す押え板４３Ａは、図１６の（ａ）、（ｂ）に相当する。また、図２９に示す蓋板４５Ａは、図１７の（ａ）、（ｂ）に相当する。これらの各図を対比すると明らかなように、例えば第１実施例の押え板４３は、付勢部材４１用の係合溝４３ｄが必要であるが、第２実施例の押え板４３Ａは、係合溝４３ｄが不要である点、第１実施例の蓋板４５の中心部の開口は縦長状の開口４６であるのに対して、第２実施例の蓋板４５Ａの開口４６Ａは円形である点が相違する。
【産業上の利用可能性】
【００６５】
本発明は、主に錠前や建具業界で利用される。
【図面の簡単な説明】
【００６６】
図１乃至図２０は本発明の第１実施例を示す各説明図。図２１は本発明を適用したラッチ錠の一例を示す概略説明図。図２２乃至図２９は本発明の第２実施例を示す各説明図。
【図１】発明の実施の環境を示す扉先（自由端部）側から見た概略説明図。
【図２】発明の実施の環境を示す平面側から見た概略説明図。
【図３】外側の支持座、横軸１３、外側揺動軸９等の斜視図。
【図４】外側の支持座の概略断面説明図。
【図５】内側支持座の内壁面側から見た斜視図。
【図６】内側支持座の外壁面側から見た斜視図。
【図７】内側支持座の内壁面側から見た正面図。
【図８】図７の８−８線概略断面図。
【図９】図７の９−９線概略断面図。
【図１０】図７の１０−１０線概略断面図。
【図１１】図７の１１−１１線概略断面図。
【図１２】（ａ）、（ｂ）は、ハンドル軸部の正面と右側面からの各説明図。
【図１３】（ａ）、（ｂ）は、付勢部材の正面と平面からの各説明図。
【図１４】テコ部材の正面図。
【図１５】（ａ）、（ｂ）は、スライド部材の縦段面と右側面からの各説明図。
【図１６】（ａ）、（ｂ）は、押え板の縦段面と右側面からの各説明図。
【図１７】（ａ）、（ｂ）は、蓋板の縦段面と右側面からの各説明図。
【図１８】内側支持座に各部材を組み込んだ状態の説明図。
【図１９】図１を基準として外側操作部材を操作した場合の説明図。
【図２０】図１８を基準として内側操作部材を操作した場合における各部材の作用の説明図。
【図２１】本発明を適用したラッチ錠の一例を示す概略説明図。
【図２２】図１と同様の実施の環境を示す扉先（自由端部）側から見た概略説明図。
【図２３】図１と同様の実施の環境を示す平面側から見た概略説明図。
【図２４】扉の壁面に形成されている切欠部分の一例を示す概略説明図。
【図２５】図１８と同様の内側支持座に各部材を組み込んだ状態の説明図。
【図２６】図１２の（ａ）、（ｂ）と同様のハンドル軸部の正面と右側面からの各説明図。
【図２７】内側操作部材を操作した場合における作動態様を示す概念図。
【図２８】図１６の（ａ）、（ｂ）と同様の押え板の縦段面と右側面からの各説明図。
【図２９】図１７の（ａ）、（ｂ）と同様の蓋板の縦段面と右側面からの各説明図。
【符号の説明】
【００６７】
Ｘ…扉のハンドル装置、Ｙ…ラッチ錠、１…扉、２…錠箱、３…ラッチ、４…室内、５…室外、６…内側の操作部材、７…外側の操作部材、８，８Ａ…ハンドル軸部、８ａ…ハンドル軸部の突起、８ｂ…第２突起、８ｃ…テコ部材用の支持面、９…長杆状揺動軸、９ａ…揺動軸の挿入先端部、１０，１０Ａ…内側の支持座、１１…外側の支持座、１２，１２Ａ…スライド部材、１２ａ…スライド部材の被係合部、１３…支持軸（横軸）、１４…固着具、２２…軸孔、２３…メネジ連結杆、２４…支持軸（横軸）用の軸部（軸孔）、２５…凹所、２６…被係合面、１６…ベース部分、１７，１７Ａ…周壁部分、１７ａ…周端、１８…凹所、３１…中心孔、３２…固着具用の左右一対の貫通孔、３３…付勢部材用の係合溝、３４…付勢部材用の支持板部、３５…下方嵌合突起、３６…上方嵌合突起、３７…スライド部材用の係合溝、３８…ストッパー、４１，４１Ａ…付勢部材、４１ａ…左右一対のバネ受け摺動片（又は一つのバネ受け片）、４１ｂ…左右一対の付勢バネ（又は一つの付勢バネ）、４２…テコ部材、４２ａ…軸部（軸孔）、４２ｂ…自由端部、４４…嵌合部（例えば嵌合孔）、４３，４３Ａ…テコ部材用の押え板、４３ａ…軸部用の軸孔、４３ｂ…固着具用の左右の切欠部、４３ｃ…スライド板用の上下の切欠部、４３ｄ…バネ受け摺動片用の左右一対の係合溝、４５，４５Ａ…蓋板、４６，４６Ａ…蓋板の開口、４７…取付け小孔、４８…固着具用の切欠部、６０…窓部、６１…作動部材（摺動部材）、６２…バネ部材、６３…連動片、６４…ラッチ施錠片、６５…ラッチ支持枠、７０…基準孔、７１…取付け孔。
【図１】
0004757570.tif 000002
【図２】
0004757570.tif 000003
【図３】
0004757570.tif 000004
【図４】
0004757570.tif 000005
【図５】
0004757570.tif 000006
【図６】
0004757570.tif 000007
【図７】
0004757570.tif 000008
【図８】
0004757570.tif 000009
【図９】
0004757570.tif 000010
【図１０】
0004757570.tif 000011
【図１１】
0004757570.tif 000012
【図１２】
0004757570.tif 000013
【図１３】
0004757570.tif 000014
【図１４】
0004757570.tif 000015
【図１５】
0004757570.tif 000016
【図１６】
0004757570.tif 000017
【図１７】
0004757570.tif 000018
【図１８】
0004757570.tif 000019
【図１９】
0004757570.tif 000020
【図２０】
0004757570.tif 000021
【図２１】
0004757570.tif 000022
【図２２】
0004757570.tif 000023
【図２３】
0004757570.tif 000024
【図２４】
0004757570.tif 000025
【図２５】
0004757570.tif 000026
【図２６】
0004757570.tif 000027
【図２７】
0004757570.tif 000028
【図２８】
0004757570.tif 000029
【図２９】
0004757570.tif 000030